(57)【要約】      （修正有）【課題】狭い空間でも便利に作業できるドライバービットを提供する。【解決手段】本体は一体成形構造を有し、軸方向に沿って第１端２１と、第１端と反対する第２端２２を備え、第１端の端点から第２端の端点までの距離が第１長さＬ１を形成し、第１端に第１駆動部２３を設け、第２端に第２駆動部２４を設ける。第１駆動部と第２駆動部との間に接続部２５を設け、接続部の横方向の幅は第１長さの０．２６〜０．３５倍に等しい。第１長さが１８〜２４ｍｍであり、第１駆動部の長さＬ２が第１長さの０．３〜０．４倍、第２駆動部の長さＬ３が第１長さの０．３〜０．４倍、接続部の長さＬ４が第１長さの０．２５〜０．３５倍に等しいことが好ましい。【選択図】図２
0003196555.tif 000002
【実用新案登録請求の範囲】
【請求項１】
狭い空間で便利に作業できるドライバービットであって、
本体を有し、前記本体は一体成形の構造を形成し、前記本体が仮想横軸の軸方向に沿って伸ばしていて、前記本体が前記仮想横軸の軸方向に沿って、第１端と、前記第１端と反対する第２端を設け、前記第１端が前記仮想横軸の軸方向に沿って端点から前記第２端が前記仮想横軸の軸方向に沿って端点までの距離が第１長さを形成し、前記本体は前記の前記第１端に第１駆動部を設け、前記本体の前記第２端に第２駆動部を設け、前記本体は前記第１駆動部と前記第２駆動部との間に接続部を設け、前記接続部が前記仮想横軸の径方向に沿って外面に六角柱状を形成し、前記接続部が仮想横軸の径方向２つの反対面の幅に沿って、横方向の幅を形成し、前記横方向の幅が前記第１長さの０．２６〜０．３５倍に等しいことを特徴とする、狭い空間で便利に作業できるドライバービット。
【請求項２】
そのうち、前記第１長さの長さが１８〜２４ミリメータであることを特徴とする、請求項１記載の狭い空間で便利に作業できるドライバービット。
【請求項３】
そのうち、前記第１駆動部が前記仮想横軸の軸方向に沿って第２長さを有し、前記第２長さが第１長さの０．３〜０．４倍に等しく、前記第２駆動部が前記仮想横軸の軸方向に沿って第３長さを有し、前記第３長さが前記第１長さの０．３〜０．４倍に等しく、前記接続部が前記仮想横軸の軸方向に沿って第４長さを有し、前記第４長さが第１長さの０．２５〜０．３５倍に等しいことを特徴とする、請求項２記載の狭い空間で便利に作業できるドライバービット。
【請求項４】
そのうち、前記第３長さの長さが前記第２長さに等しいことを特徴とする、請求項３記載の狭い空間で便利に作業できるドライバービット。
【請求項５】
そのうち、前記第１駆動部が前記仮想横軸径方向に沿って最大幅が第１幅を形成し、前記第２駆動部が前記仮想横軸径方向に沿って最大幅が第２幅を形成し、前記第１幅と前記第２幅がそれぞれ横方向の幅の０．８〜０．９倍に等しいことを特徴とする、請求項３または４記載の狭い空間で便利に作業できるドライバービット。
【請求項６】
そのうち、前記第１幅が前記第１長さの０．３〜０．３５倍に等しく、前記第２幅が前記第１長さの０．３〜０．３５倍に等しいことを特徴とする、請求項５記載の狭い空間で便利に作業できるドライバービット。
【請求項７】
そのうち、前記本体の前記接続部が前記仮想横軸の径方向に沿って外面に複数の第１係合溝を設け、前記複数の第１係合溝はすべて一つの第１基準平面に位置し、前記第１基準平面が前記仮想横軸に垂直しており、前記第１基準平面から前記第１端が前記仮想横軸軸方向に沿って端点までの距離が第５長さを形成し、前記第５長さが前記第１長さの０．４〜０．６倍に等しいことを特徴とする、請求項６記載の狭い空間で便利に作業できるドライバービット。
【請求項８】
そのうち、前記第５長さが前記第１長さの０．４〜０．４５倍に等しく、前記本体の前記接続部が前記仮想横軸の径方向に沿って外面に複数の第２係合溝を設け、前記複数の第２係合溝はすべて一つの第２基準平面に位置し、前記第２基準平面が前記仮想横軸に垂直しており、前記第２基準平面から前記第２端が前記仮想横軸軸方向に沿って端点までの距離が第６長さを形成し、前記第６長さが前記第１長さの０．４〜０．４５倍に等しいことを特徴とする、請求項７記載の狭い空間で便利に作業できるドライバービット。
【請求項９】
そのうち、前記第６長さの長さが前記第５長さに等しいことを特徴とする、請求項８記載の狭い空間で便利に作業できるドライバービット。
【請求項１０】
そのうち、前記複数の第１係合溝の数は６つを有し、６つの前記第１係合溝がそれぞれ前記接続部外面の各コーナーに位置し、前記複数の第２係合溝の数は６つを有し、６つの前記第２係合溝がそれぞれ前記接続部外面の各コーナーに位置することを特徴とする、請求項８記載の狭い空間で便利に作業できるドライバービット。
【考案の詳細な説明】
【技術分野】
【０００１】
本考案は主にドライバービットに関し、特に狭い空間で便利に作業できるドライバービットに関する。
【背景技術】
【０００２】
中華民国特許第Ｍ４７８５７４号（特許文献１）によればは、ドライバービット構造であって、前記ドライバービットは駆動部と、作業部と、２つの端部の間に位置するシャンク部からなる緩衝部を含む、前記緩衝部は２つの曲面区域と一つの直線区域によって構成され、曲面区域と直線区域の比例配置によって、ドライバービットにより高い耐疲労性と、高いトルク性を有し、ドライバービットの折損率を軽減できることが開示されている。
【先行技術文献】
【特許文献】
【０００３】
【特許文献１】中華民国特許第Ｍ４７８５７４号
【考案の概要】
【考案が解決しようとする課題】
【０００４】
しかしながら、前述構造のドライバービットを適用した場合は、狭い空間に進入することが難しく、順調に作業することができない。その付近場所にある他の素子を取り除いてスペースを広げなければ作業を継続させることはできない。しかし、作業スペースを広げできないときには、施工部を取り外して作業するしか方法はなく、その使用は便利と言えない。さらに、前述した方式をすべて適用できない場合は作業ができなる。
【課題を解決するための手段】
【０００５】
本考案の主な目的は、狭い空間で便利に作業できるドライバービットを提供する。本体を有し、本体は一体成形の構造を形成し、本体が仮想横軸の軸方向に沿って伸ばし、本体が仮想横軸の軸方向に沿って第１端と、第１端と反対する第２端を設け、第１端が仮想横軸の軸方向に沿った端点から第２端が仮想横軸の軸方向に沿った端点までの距離が第１長さを形成し、本体の第１端に第１駆動部を設け、第２端に第２駆動部を設ける。本体は第１駆動部と、第２駆動部との間に接続部を有し、接続部が仮想横軸の径方向に沿った外面は六角柱状を形成し、接続部が仮想横軸の径方向に沿った２の反対両面の間の幅が横方向の幅を形成し、横方向の幅が第１長さの０．２６〜０．３５倍に等しく、ドライバービットが前述比例関係の配置によって、ドライバービットの体積と長さを有効に軽減し、狭い空間に進入して作業でき、ドライバービットの適用性を向上できる。
【考案の効果】
【０００６】
以下の説明内容から、本考案は以下の長所をまとめることができる。
【０００７】
本考案の狭い空間で便利に作業できるドライバービットは本体を有し、本体は一体成形の構造を形成し、本体が仮想横軸の軸方向に沿って伸ばしていて、本体が仮想横軸の軸方向に沿って第１端と、第１端と反対する第２端を設け、第１端が仮想横軸の軸方向に沿って端点から第２端が仮想横軸の軸方向に沿って端点までの距離が第１長さを形成し、本体の第１端に第１駆動部を設け、第２端に第２駆動部を設ける。本体は第１駆動部と、第２駆動部との間に接続部を設け、接続部が仮想横軸の径方向に沿って外面に正六角柱状を形成し、接続部が仮想横軸の径方向に沿って２の反対両面の間の幅が横方向の幅を形成し、横方向の幅は第１長さの０．２６〜０．３５倍に等しい。ドライバービットが前述比例関係の配置によって、ドライバービットの体積と長さを有効に軽減され、狭い空間に進入して作業でき、ドライバービットの適用性を向上できる。
【図面の簡単な説明】
【０００８】
【図１】本考案の狭い空間で便利に作業できるドライバービットの第１実施例による立体外観図である。
【図２】本考案の狭い空間で便利に作業できるドライバービットの第１実施例による側面図である。
【図３】本考案の狭い空間で便利に作業できるドライバービットの第１実施例による端面図である。
【図４】本考案の狭い空間で便利に作業できるドライバービットの第２実施例による側面図である。
【図５】本考案の狭い空間で便利に作業できるドライバービットの第３実施例による側面図である。
【考案を実施するための形態】
【実施例１】
【０００９】
図１〜３、本考案の狭い空間で便利に作業できるドライバービットの第１実施例による立体外観図と、側面図と、端面図を参照する。本考案のドライバービット１０は、本体２０を有する。
【００１０】
そのうち、本体２０は一体成形の構造を形成し、本体２０が仮想横軸Ｌの軸方向に沿って伸ばし、本体２０が仮想横軸Ｌの軸方向に沿って、第１端２１と、第１端と反対する第２端２２を設け、第１端２１が仮想横軸Ｌの軸方向に沿った端点から第２端２２が仮想横軸Ｌの軸方向に沿った端点までの距離が第１長さを形成する。本実施例において、第１長さＬ１は１８〜２４ミリメータを実施する。
【００１１】
本体２０の第１端２１に第１駆動部２３を設け、第２端２２に第２駆動部２４を設け、第１駆動部２３が仮想横軸Ｌの軸方向に沿って第２長さＬ２を有し、第２長さＬ２は第１長さＬ１の０．３〜０．４倍に等しく、第２駆動部２４が仮想横軸Ｌの軸方向に沿って第３長さＬ３を有し、第３長さＬ３は第１長さＬ１の０．３〜０．４倍に等しく、本実施例において、第３長さＬ３が第２長さＬ２に等しい。本実施例において、第１駆動部２３と第２駆動部２４が仮想横軸Ｌの径方向に沿った横断面はすべてＸ字形である。
【００１２】
第１駆動部２３が仮想横軸Ｌの径方向に沿って最大の幅が第１幅Ｗ１を形成し、第１幅Ｗ１は第１長さＬ１の０．３〜０．３５倍に等しく、第２駆動部２４が仮想横軸Ｌの径方向に沿って最大の幅が第２幅Ｗ２を形成し、第２幅Ｗ２は第１長さＬ１の０．３〜０．３５倍に等しい。本実施例において、第２幅Ｗ２は第１幅Ｗ１に等しい。
【００１３】
本体２０は第１駆動部２３と第２駆動部２４との間に接続部２５を設け、接続部２５が仮想横軸Ｌの径方向に沿って外面に六角柱状を形成し、接続部２５が仮想横軸Ｌの軸方向に沿って第４長さＬ４を有し、第４長さＬ４が第１長さＬ１の０．２５〜０．３５倍に等しい。接続部２５が仮想横軸Ｌの径方向に沿って２つの反対面の間の幅が横方向の幅ＷＨを形成し、横方向の幅ＷＨが第１長さＬ１の０．２６〜０．３５倍に等しく、第１幅Ｗ１と第２幅Ｗ２がすべて横方向の幅ＷＨの０．８〜０．９倍に等しい。
【００１４】
ドライバービット１０が前述した比例関係の配置によって、ドライバービット１０の体積及び長さを有効に軽減され、ドライバービット１０を狭い空間に進入して作業することができ、ドライバービット１０の適用性を向上できる。さらに、本体２０が第１駆動部２３と第２駆動部２４を有することから、ドライバービット１０は２つの異なる駆動機能を使用し、使用者によるドライバービット１０交換頻度を軽減できる。
【実施例２】
【００１５】
引き続き図４、本考案の狭い空間で便利に作業できるドライバービットの第２実施例による側面図を参照する。本考案の第２実施例が第１実施例とほぼ同じであり、主な異なる点は、本体２０ａの接続部２５ａが仮想横軸Ｌの径方向の外面に沿って、複数の第１係合溝２６ａを設けられ、複数の第１係合溝２６ａがすべて一つの第１基準平面Ｐ１に位置し、第１基準平面Ｐ１が仮想横軸Ｌに垂直し、本実施例において、複数の第１係合溝２６ａの数は６つを有し、６つの第１係合溝２６ａは接続部２５ａ外面の各コーナーにそれぞれ位置し、第１基準平面Ｐ１から第１端２１ａが仮想横軸Ｌの軸方向の端点との間の距離が第５長さＬ５を形成し、第５長さＬ５が第１長さＬ１の０．４〜０．６倍に等しい。
【００１６】
使用者がドライバービット１０ａを駆動シャンクに取り付けた後、第１係合溝２６ａを駆動シャンクのスナップリングまたはコイルスプリングに係合させて位置固定の効果を達成し、ドライバービット１０ａが駆動シャンクから抜けることを避けられる。
【実施例３】
【００１７】
引き続き図５、本考案の狭い空間で便利に作業できるドライバービットの第３実施例による側面図を参照する。本考案の第３実施例が第２実施例とほぼ同じであり、異なる点は主に本体２０ｂの接続部２５ｂが仮想横軸Ｌの径方向に沿って、外面に複数の第２係合溝２７ｂを設けられ、複数の第２係合溝２７ｂがすべて一つの第２基準平面Ｐ２に位置し、第２基準平面Ｐ２が仮想横軸Ｌに垂直し、本実施例において、複数の第２係合溝２７ｂの数は６つを有し、６つの第２係合溝２７ｂが接続部２５ｂ外面の各コーナーにそれぞれ位置する。第５長さＬ５は第１長さＬ１の０．４〜０．４５倍に等しく、第２基準平面Ｐ２から第２端２２ｂが仮想横軸Ｌの軸方向に沿った端点までの距離が第６長さＬ６を形成し、第６長さＬ６が第１長さＬ１の０．４〜０．４５倍に等しい。本実施例において、第６長さＬ６が第５長さＬ５に等しい。
【００１８】
使用者がドライバービット１０ｂを駆動シャンクに取り付けた後、第１係合溝２６ｂと第２係合溝２７ｂによって、それぞれ係合及び固定効果を提供し、ドライバービット１０ｂが駆動シャンクに対して位置を調整して、多段式の固定が形成されることを確認している。
【符号の説明】
【００１９】
１０        ドライバービット
２０        本体
２１        第１端
２２        第２端
２３        第１駆動部
２４        第２駆動部
２５        接続部
１０ａ      ドライバービット
２０ａ      本体
２１ａ      第１端
２５ａ      接続部
２６ａ      第１係合溝
１０ｂ      ドライバービット
２０ｂ      本体
２２ｂ      第２端
２５ｂ      接続部
２６ｂ      第１係合溝
２７ｂ      第２係合溝
Ｌ          仮想横軸
Ｌ１        第１長さ
Ｌ２        第２長さ
Ｌ３        第３長さ
Ｌ４        第４長さ
Ｌ５        第５長さ
Ｌ６        第６長さ
Ｗ１        第１幅
Ｗ２        第２幅
ＷＨ        横方向の幅
Ｐ１        第１基準平面
Ｐ２        第２基準平面
【図１】
0003196555.tif 000003
【図２】
0003196555.tif 000004
【図３】
0003196555.tif 000005
【図４】
0003196555.tif 000006
【図５】
0003196555.tif 000007